【事件の表示】
　特願２０１１−２２４９８８号「冷却装置」拒絶査定不服審判事件〔平成２５年　５月　９日出願公開、特開２０１３−　８３４１４号〕について、次のとおり審決する。
【結　論】
　本件審判の請求は、成り立たない。
【理　由】
第１　手続の経緯
　本願は、平成２３年１０月１２日の出願であって、その手続の経緯は以下のとおりである。
　平成２３年１０月１２日　　：特許出願
　平成２７年　６月２３日付け：拒絶理由の通知
　平成２７年　７月２３日　　：意見書、手続補正書の提出
　平成２７年　８月２８日付け：拒絶理由の通知
　平成２７年１０月２８日　　：意見書、手続補正書の提出
　平成２８年　３月　７日付け：拒絶査定
　平成２８年　６月１３日　　：審判請求書、手続補正書の提出
第２　平成２８年６月１３日にされた手続補正についての補正却下の決定
［補正却下の決定の結論］
　平成２８年６月１３日にされた手続補正(以下、「本件補正」という。）を却下する。
［理由］
１．補正の内容
（１）本件補正後の特許請求の範囲の記載
　本件補正により、特許請求の範囲の請求項１の記載は、次のとおり補正された（下線部は補正箇所である）。
「壁によって囲まれて形成された内部空間を有し、該内部空間は熱源が配される空間と成し、前記内部空間を形成して上下方向に立設された側壁の一部は開口されてその開口部には前記内部空間とその外側の外部空間とを仕切
り前記開口全体を閉鎖して前記開口部分の側壁を兼ね
（２）本件補正前の特許請求の範囲
　本件補正前の、平成２７年１０月２８日にされた手続補正により補正された特許請求の範囲の請求項１の記載は次のとおりである。
「壁によって囲まれて形成された内部空間を有し、該内部空間は熱源が配される空間と成し、前記内部空間を形成して上下方向に立設された側壁の一部は開口されてその開口部には前記内部空間とその外側の外部空間とを仕切る隔壁の態様で、山部と谷部を複数連続的に折り返して板面が波形形状を呈したコルゲート状のフィンが上下方向に伸長されて設けられて前記内部空間は気密状の空間と成し、前記フィンの板面に沿った上下方向であるＹ方向と前記折り返しの伸長方向であって水平方向であるＸ方向とは直交する方向と成し、前記内部空間内の気体を前記フィンの前記山部と前記谷部とによって囲まれた空間通路を風の流通通路として前記フィンの板面に沿った上下方向に上側から下側に向けて通風させて前記内部空間内で該内部空間内の気体を循環通風させる内部気体流通用ファンと、前記外部空間の気体を前記フィンの前記内部気体通風側の板面とは反対側の板面に沿って前記フィンの前記山部と前記谷部とによって囲まれた空間通路を風の流通通路として上下方向に下側から上側に向けて通風させる外部気体流通用ファンとを有しており、前記フィンは前記谷部に対して両側の山部を形成する板面が開角する態様で板面が斜めに形成されており、前記内部空間内の気体と前記外部空間内の気体の少なくとも一方が前記Ｘ方向と前記Ｙ方向とに直交するＺ方向から対応する前記空気通路に導入されて前記Ｙ方向である上下方向に流通するように、前記対応する前記空気通路への気体の導入部が形成されていることを特徴とする冷却装置。」
２．補正の適否
　上記補正は、補正前の請求項１に記載した発明を特定するために必要な事項である、コルゲート状のフィンの「隔壁の態様」について「前記開口全体を閉鎖して前記開口部分の側壁を兼ねる」との限定を付すものであり、当該補正により発明の産業上の利用分野及び解決しようとする課題に変更が生じるものではないから、当該補正は特許法第１７条の２第５項第２号の特許請求の範囲の減縮を目的とするものに該当する。
　そこで、補正後の請求項１に記載された発明（以下、「本件補正発明」という。）が特許出願の際、独立して特許を受けることができるものであるか（特許法第１７条の２第６項において準用する同法第１２６条第７項の規定に適合するか）否かについて以下に検討する。
（１）本件補正発明
　請求項１の「前記空気通路」の記載はそれ以前に対応する空気通路の記載がなく、文脈上「前記空間通路」の誤記と認められる。
　よって、本件補正発明は、以下のとおりのものと認める。
「壁によって囲まれて形成された内部空間を有し、該内部空間は熱源が配される空間と成し、前記内部空間を形成して上下方向に立設された側壁の一部は開口されてその開口部には前記内部空間とその外側の外部空間とを仕切り前記開口全体を閉鎖して前記開口部分の側壁を兼ねる隔壁の態様で、山部と谷部を複数連続的に折り返して板面が波形形状を呈したコルゲート状のフィンが上下方向に伸長されて設けられて前記内部空間は気密状の空間と成し、前記フィンの板面に沿った上下方向であるＹ方向と前記折り返しの伸長方向であって水平方向であるＸ方向とは直交する方向と成し、前記内部空間内の気体を前記フィンの前記山部と前記谷部とによって囲まれた空間通路を風の流通通路として前記フィンの板面に沿った上下方向に上側から下側に向けて通風させて前記内部空間内で該内部空間内の気体を循環通風させる内部気体流通用ファンと、前記外部空間の気体を前記フィンの前記内部気体通風側の板面とは反対側の板面に沿って前記フィンの前記山部と前記谷部とによって囲まれた空間通路を風の流通通路として上下方向に下側から上側に向けて通風させる外部気体流通用ファンとを有しており、前記フィンは前記谷部に対して両側の山部を形成する板面が開角する態様で板面が斜めに形成されており、前記内部空間内の気体と前記外部空間内の気体の少なくとも一方が前記Ｘ方向と前記Ｙ方向とに直交するＺ方向から対応する前記空間通路に導入されて前記Ｙ方向である上下方向に流通するように、前記対応する前記空間通路への気体の導入部が形成されていることを特徴とする冷却装置。」
（２）引用例の記載事項
ア　引用例１
（ア）原査定の拒絶の理由で引用された、本願の出願前に頒布された刊行物である、特開平２−７５８９６号公報（平成２年３月１５日出願公開。以下、「引用例１」という。）には、図面（第１−３図）とともに、次の記載がある。
（ア−１）「本発明は、工作機等の制御盤に設置され、制御盤内の空気を冷却する熱交換装置に関するものである。」（１頁左欄１１−１３行）
（ア−２）「従来例を第４図、第５図、第６図を参考に説明する。１は工作機械の制御盤である。この制御盤１の天面には内気用の吸込口２と吐出口３が設けられている。そして吸込口２には送風機４が取付けられている。５は前記制御盤１の天面に取付けられた熱交換装置である。この熱交換装置５は、内部に中空の柱状形フィン６を複数枚平行して配設している。この柱状形フィン６は、１枚のフィンを長辺６ａと短辺６ｂとから成りその端部６ｃをカシメている。また、柱状形フィン６は多数平行に配設するとき長辺６ａが隣り合うように配している。また、柱状形フィン６の隣接する長辺６ａ間で形成される空間は、両端に端板８が設けられ、柱状形フィン６と端板８のすき間をシール剤９で密着され閉塞されている。
　そして、この空間を前記吸込口２と吐出口３を連通させて第１通路７としている。熱交換装置５に取付けられた送風機１０は外気を吸込、前記柱状形フィン６で形成された空間に流入させ、他端側から排気されるものでこの空間を第２通路１１としている。
　そして、このような構成において、第１通路７を流れる空気と、第２通路１１を流れる空気は、柱状形フィン６の長辺６ａを介して熱交換して第１通路７を流れる空気を冷却する。」（１頁左欄最終行−２頁左上欄４行）
（ア−３）「第１図、第２図、第３図において従来と同一構成については、同一符号を付してその詳細な説明を省略する。１２は仕切板で一枚の板を波板状に折曲している。１３は封止材で仕切板１２の両端に接着され熱交換装置５′の内部に嵌入されている。波状形の仕切板１２の下側空間を第１通路７′としている。また波板状の仕切板１２の上側空間を第２通路１１′としている。熱交換装置５′の天面には、外気用の吸込口１４と吐出口１５が設けられている。そして吸込口１４には外気用の送風機１０が取付られている。いわゆる送風機１０は、仕切板１２の片端の上部に位置する。前記のような構成において、第１通路７′を流れる空気と、第２通路１１′を流れる空気は、仕切板１２を介して熱交換して第１通路７′を流れる空気を冷却する。
　発明の効果
　以上のように本発明は、波板状の仕切板にすることにより、柱状形フィンを成形するためのカシメを必要とせず密閉性もよくなる。また柱状形フィンの両端に設けられていた端板が不要になり、これに併いシール剤も不要となる。外気用送風機は仕切板の上部に位置しているため、小型にでき、熱交換装置の取付面積も小さくできる。従ってコスト面でも低コストが可能となる。」（２頁右上欄１６行−同左下欄下から２行）
（ア−４）第２及び３図の記載を参照すれば、波状形の仕切板１２は、一枚の板を山部と谷部を複数連続的に折り返したものであって、谷部に対して両側の山部を形成する板面が開角する態様で板面が斜めに形成されている。
（ア−５）第１図の記載を参照すれば、第１通路７′を流れる空気と第２通路１１′を流れる空気は、それぞれ送風機４と送風機１０により内気と外気が上記各流れる空気の流れ方向に直交するように吸込口２と吸込口１４から導入され、それぞれが互いに対向するように水平方向に流れている。
（イ）上記記載から、引用例には、次の発明（以下、「引用発明」という。）が記載されているものと認められる。
「制御盤１内の空気を冷却する熱交換装置５’であって、当該制御盤１の天面には内気用の吸込口２と吐出口３が設けられ、そして吸込口２には送風機４が取り付けられ、当該熱交換装置５’は、天面に取り付けられ、波状形の仕切板１２は、その両端に封止材１３が接着され熱交換装置５’の内部に嵌入され、波状形の仕切板１２は、一枚の板を山部と谷部を複数連続的に折り返したものであって、谷部に対して両側の山部を形成する板面が開角する態様で板面が斜めに形成されており、波状形の仕切板１２の下側空間を第１通路７’とし、また波板状の仕切板１２の上側空間を第２通路１１’とし、熱交換装置５’の天面には、外気用の吸込口１４と吐出口１５が設けられ、そして、吸込口１４には外気用の送風機１０が取付られ、当該送風機１０は、仕切板１２の片端の上部に位置し、第１通路７’を流れる空気と第２通路１１’を流れる空気は、それぞれ送風機４と送風機１０により内気と外気が上記各流れる空気の流れ方向に直交するように吸込口２と吸込口１４から導入され、それぞれが互いに対向するように水平方向に流れ、仕切板１２を介して熱交換して第１通路７’を流れる空気を冷却する熱交換装置」
イ　引用例２
（ア）同じく引用された、本願の出願前に頒布された刊行物である、特開２００１−０９９５３１号公報（平成１３年４月１３日出願公開。以下、「引用例２」という。）には、図面（図１，３）とともに、次の記載がある。
（ア−１）【００１１】熱交換器５は、図３に示すように、複数の空気通路（内気通路１６と外気通路１７）が隣接して設けられ、全体が直方体形状に構成されている。複数の空気通路は、それぞれ一定の間隔を保って対向する長方形の２枚の平面板１８と、その２枚の平面板１８によって形成される空間の側方をＬ字形に閉じる背面板１９とで形成され、この背面板１９を隣合う空気通路毎に対角状に配置することで、それぞれ内気通路１６及び外気通路１７として形成され、且つ左右両側の通路がそれぞれ内気通路１６として構成されている。
（ア−２）【００１５】次に、本実施例の作用及び効果について説明する。内気ファン６の回転により、キャビネット３の内部空気が熱交換器５の各内気通路１６を上方から下方へ向かって流れ、外気ファン７の回転により、キャビネット３の外部空気が熱交換器５の各外気通路１７を下方から上方へ向かって流れる。キャビネット３の内部空気は、電子機器２から発生する熱によって温度上昇し、外部空気より高温となっているため、熱交換器５を流れる内部空気と外部空気との間で熱交換が行われ、内部空気が外部空気によって冷却される。」
（イ）上記記載から、引用例２には、次の事項が記載されている。
「内気ファン６の回転により、キャビネット３の内部空気が熱交換器５の各内気通路１６を上方から下方へ向かって流れ、外気ファン７の回転により、キャビネット３の外部空気が熱交換器５の各外気通路１７を下方から上方へ向かって流れ、キャビネット３の内部空気は、電子機器２から発生する熱によって温度上昇し、外部空気より高温となっているため、熱交換器５を流れる内部空気と外部空気との間で熱交換が行われ、内部空気が外部空気によって冷却される冷却装置１」
ウ　引用例３
（ア）同じく引用された、本願の出願前に頒布された刊行物である、特開２００５−３１０９２４号公報（平成１７年１１月４日出願公開。以下、「引用例」という。）には、図面（図１，２）とともに、次の記載がある。
（ア−１）【０００９】
　以下に本発明の実施形態を示す。
　図１は本発明の実施形態の外観を示す斜視図、図２はその縦断面図である。これらの図において１０は盤用熱交換器のケース、１１はその全体を覆うカバーである。図２に示すように、この盤用熱交換器は配電盤、分電盤、通信盤などの盤１２の外側に取り付けて盤内冷却を行うものであり、ケース１０、カバー１１とも金属板材よりなる。
（ア−２）【００１０】
　ケース１０の内部には上部隔壁１３と下部隔壁１４とが設けられており、それらの間に多数の熱交換チューブを備えた熱交換ユニット１５が垂直に取り付けられている。上部隔壁１３の上部には盤内空気吸引用のファン１６があり、内部機器の発熱により温まった盤内空気を吸引して熱交換ユニット１５のチューブ内に導き、下部隔壁１４の下方から盤内に戻す。このときケース１０の上部が仕切り板２２となり、盤内空気はこの仕切り板２２に当りガイドされながら熱交換ユニット１５に流れる。
（ア−３）【００１１】
　ケース１０の下部には盤外空気吸引用のファン１７が設けられており、カバー１１の下部の盤外空気吸引孔２３から吸引した盤外空気を熱交換ユニット１５のチューブの外側空間１８に流し、チューブの壁面を介して熱交換を行わせる。ケース１０の熱交換ユニット１５の上部に対応する位置には通気孔１９が形成されており、熱交換ユニット１５を通過した盤外空気はこの通気孔１９から外側に流れ、ケース１０とカバー１１との間に形成された流路２０を流れたうえで、カバー１１の上部の盤外空気排出孔２１から排気される。」
（イ）上記記載から、引用例３には、次の事項が記載されている。
「上部隔壁１３の上部には盤内空気吸引用のファン１６があり、内部機器の発熱により温まった盤内空気を吸引して熱交換ユニット１５のチューブ内に導き、下部隔壁１４の下方から盤内に戻し、ケース１０の下部には盤外空気吸引用のファン１７が設けられており、カバー１１の下部の盤外空気吸引孔２３から吸引した盤外空気を熱交換ユニット１５のチューブの外側空間１８に流し、チューブの壁面を介して熱交換を行わせる熱交換ユニット１５」
（３）引用発明との対比
ア　本件補正発明と引用発明とを対比する。
（ア）引用発明の「天面」は、本件補正発明の「壁」の一部を構成するものである。
（イ）引用発明の熱交換装置５’は、工作機械の制御盤１内の空気を冷却するものであり、制御盤１は通常内部に電子部品等の発熱要素を含む筐体として構成されるものであるから、制御盤１は「壁によって囲まれて形成された内部空間を有し、該内部空間は熱源が配される空間と成し」ているものと認められる。
（ウ）引用発明の「吸込口２」と「吐出口３」は、本件補正発明の「開口部」に相当する。
（エ）引用発明の「波状形の仕切板１２」は、本件補正発明の「波形形状を呈したコルゲート状のフィン」に相当する。
（オ）引用発明の仕切板１２は、その両端に封止材１３が接着されて、熱交換装置５’の内部に嵌入されていることから、当該仕切板１２は、本件補正発明の「前記内部空間とその外側の外部空間とを仕切り前記開口全体を閉鎖して前記開口部分の側壁を兼ねる隔壁の態様」といえ、制御盤１の「前記内部空間は気密状の空間と成し」ている。
（カ）引用発明の仕切板１２の波状の折り返しの伸張方向をＸ方向とすれば、これと直交する板面に沿った方向はＹ方向となる。
　また、送風機４と送風機１０による内気と外気の導入は、これらと直交するＺ方向からとなる。
（キ）引用発明の「第１通路７’」及び「第２通路１１’」は、それぞれ本件補正発明の内部空間内の気体の流通通路となる「空間通路」及び外部空間の気体の流通通路となる「空間通路」に相当する。
（ク）引用発明の「送風機４」及び「送風機１０」は、それぞれ本件補正発明の「内部気体流通用ファン」及び「外部気体流通用ファン」に相当する。
（ケ）引用発明の「熱交換装置５’」は、熱交換を行うことにより制御盤１の内部を冷却するものであるから、本件補正発明の「冷却装置」に相当する。
イ　以上のことから、本件補正発明と引用発明との一致点及び相違点は、次のとおりである。
【一致点】
「壁によって囲まれて形成された内部空間を有し、該内部空間は熱源が配される空間と成し、前記内部空間を形成する壁の一部は開口されてその開口部には前記内部空間とその外側の外部空間とを仕切り前記開口全体を閉鎖して前記開口部分の壁を兼ねる隔壁の態様で、山部と谷部を複数連続的に折り返して板面が波形形状を呈したコルゲート状のフィンが伸長されて設けられて前記内部空間は気密状の空間と成し、前記フィンの板面に沿った方向であるＹ方向と前記折り返しの伸長方向であるＸ方向とは直交する方向と成し、前記内部空間内の気体を前記フィンの前記山部と前記谷部とによって囲まれた空間通路を風の流通通路として前記フィンの板面に沿った方向に通風させて前記内部空間内で該内部空間内の気体を循環通風させる内部気体流通用ファンと、前記外部空間の気体を前記フィンの前記内部気体通風側の板面とは反対側の板面に沿って前記フィンの前記山部と前記谷部とによって囲まれた空間通路を風の流通通路として板面に沿って通風させる外部気体流通用ファンとを有しており、前記フィンは前記谷部に対して両側の山部を形成する板面が開角する態様で板面が斜めに形成されており、前記内部空間内の気体と前記外部空間内の気体の少なくとも一方が前記Ｘ方向と前記Ｙ方向とに直交するＺ方向から対応する前記空間通路に導入されて前記Ｙ方向に流通するように、前記対応する前記空間通路への気体の導入部が形成されている冷却装置。」
【相違点】
　本件補正発明は、開口部が開口された壁が、上下方向に立設した側壁であり、コルゲート状のフィンが上下方向に伸長されて設けられ、当該フィンの板面に沿ったＹ方向が上下方向であり、内部空間側の気体の空間通路での通風が上側から下側であり、外部空間側の気体の空間通路での通風が下側から上側であるのに対し、引用発明は、吸込口２と吐出口３が天面に設けられており、仕切板１２は水平方向に伸長されて設けられ、当該仕切板１２の板面に沿ったＹ方向が水平方向であり、内部空間側の気体の第１通路７’での通風と、外部空間側の気体の第２通路１１’での通風がそれぞれ互いに対向するものの水平方向に流れるものである点で相違する。
　なお、出願人は審判請求書第８頁において、本件補正発明が、「引用文献１に記載された発明は、・・・本願発明における開口部に相当するような、熱交換装置５’全体を嵌合できるような貫通の穴（本願の図３に示される嵌合穴１９に相当する開口部）は形成されていない」点（以下、「構成Ａ」という）についても相違する旨主張している。
　しかし、開口部が「熱交換装置５’全体を嵌合できるような貫通の穴」であることは、請求項１に限定がないことにより、上記構成Ａは相違点に当たらず、出願人の主張は採用できない。
（４）判断
　以下、上記相違点について検討する。
　引用例２及び３に記載された冷却装置（盤用熱交換器）は、いずれも上記相違点の、本件補正発明における冷却対象に対する熱交換装置の配置及び熱交換装置における内気と外気の流通態様を備えるものであり、熱交換装置において、こうした配置及び流通態様を採用することは周知技術といえる。
　そして、冷却対象に対する熱交換装置の配置は、例えば、本願明細書の段落［００２５］にも、「なお、筐体の壁とは、筐体の上面や底面も含むものであり、筐体の上面や底面に本実施例のような冷却装置１を設けて筐体内冷却装置を形成することもできる。」とあるように、当業者が設計上適宜に決め得る事項と認められるから、引用発明において、熱交換装置を、上記周知技術に基づいて制御盤１の側面に配置することは当業者が容易になし得たことである。
　また、その際、熱交換装置における内気と外気の流通態様に、上記周知技術を適用し、上記相違点の本件補正発明のようになすこともまた当業者が容易になし得ることである。
　よって、本件補正発明は、引用発明及び周知技術に基づいて当業者が容易に発明をすることができたものである。
　なお、出願人は、審判請求書において、本件補正発明と引用発明との相違に基づく効果として、（１）引用文献１に記載された発明の熱交換装置５’においては、仕切り板１２が水平方向に設けられているので、制御盤１内の熱い内気が熱交換装置５’内に導入されて熱交換装置５’の風路７’内を通る時に風路１１’内を通る外気と熱交換されて冷やされ、比重が重くなると下側に下がろうとして仕切り板１２の板面から離れる方向に拡散するものであり、一方、制御盤１の外の外気は、熱交換装置５’の風路１１’内を通る時に風路７’内を通る内気と熱交換されて暖められ、比重が軽くなると上側に上がろうとして仕切り板１２の板面から離れる方向に拡散するものである。このように、外気も内気も共に仕切り板１２の板面から離れようとすることから、外気と内気とが仕切り板１２の板面から離れない状態で仕切り板１２を介して熱交換する区間が短いため、引用文献１に記載された発明においては、仕切り板１２を介しての外気と内気との熱交換が効率良く行えない点、（２）仕切り板１２が水平方向に設けられていることから、仕切り板１２を介しての外気と内気との熱交換によって仕切り板１２の内気側表面（風路７’側）に結露が生じた場合、その結露は風路７’の下側にしずくとなって落ち、熱交換装置５’の吐出口３から制御盤１の内部に風を吹き出し拡散させる構成によって風と共に結露水が制御盤１内に飛散して制御盤１内の熱源に降りかかってしまうことになり、不具合を生じさせることになる点、（３）本願発明においては、コルゲート状のフィンは、内部空間を形成して上下方向に立設された側壁の開口全体を閉鎖して該開口部分の側壁を兼ねる隔壁の態様で上下方向に伸長されて設け、内部空間の気体をフィンの板面に沿って上側から下側に向けて風を流すので、熱交換によって冷やされた気体は内部空間内の底側に出されることになり、内部空間内の気体の冷却を効果的に行うことができるのに対し、引用文献１に記載された発明においては、熱交換された内気は熱交換装置５’の吐出口３から下側に（制御盤１の上部側に）吹き出されるので、冷却された気体が制御盤１の底面側まで届かないおそれがあり、制御盤１内全体の冷却が効果的に行われない可能性がある点を指摘している。
　しかし、上記（１）−（３）の効果は、コルゲート状のフィンに対して内部空間内の気体と外部空間内の気体を上下方向に対向して流通するようにしたことに基づく付随的な効果にすぎず、引用発明に周知技術を適用することにより付随的に生じる効果であって、当該効果はいずれも当業者が予測しうる範囲内のものである。
　また、仮に上記構成Ａが相違点であるとしても、冷却装置の取付部に貫通穴を設けるか否かは、設計上適宜に選択しうる事項と認められることにより、上記当業者が容易に発明をすることができたものとの判断を変更するものではない。
　以上のとおりであるから、本件補正発明は、引用発明及び周知技術に基づいて当業者が容易に発明をすることができたものであり、特許法第２９条第２項の規定により、特許出願の際、独立して特許を受けることができないものである。
（５）本件補正についてのむすび
　よって、本件補正は、特許法第１７条の２第６項において準用する同法１２６条第７項の規定に違反してなされたものであるから、同法第１５９条第１項において読み替えて準用する同法第５３条第１項の規定によって却下すべきものである。
　よって、上記補正却下の決定の結論のとおり決定する。
第３　本願発明について
１　本願発明
　平成２８年６月１３日にされた手続補正は、上記のとおり却下されたので、本願の請求項１及び２に係る発明は、平成２７年１０月２８日にされた手続補正により補正された特許請求の範囲の請求項１及び２に記載された事項により特定されるものであるところ、その請求項１に係る発明（以下、「本願発明」という。）は、上記本件補正発明同様、請求項１の「前記空気通路」の記載はそれ以前に対応する空気通路の記載がなく、文脈上「前記空間通路」の誤記と認められるから、以下のとおりのものと認める。
「壁によって囲まれて形成された内部空間を有し、該内部空間は熱源が配される空間と成し、前記内部空間を形成して上下方向に立設された側壁の一部は開口されてその開口部には前記内部空間とその外側の外部空間とを仕切る隔壁の態様で、山部と谷部を複数連続的に折り返して板面が波形形状を呈したコルゲート状のフィンが上下方向に伸長されて設けられて前記内部空間は気密状の空間と成し、前記フィンの板面に沿った上下方向であるＹ方向と前記折り返しの伸長方向であって水平方向であるＸ方向とは直交する方向と成し、前記内部空間内の気体を前記フィンの前記山部と前記谷部とによって囲まれた空間通路を風の流通通路として前記フィンの板面に沿った上下方向に上側から下側に向けて通風させて前記内部空間内で該内部空間内の気体を循環通風させる内部気体流通用ファンと、前記外部空間の気体を前記フィンの前記内部気体通風側の板面とは反対側の板面に沿って前記フィンの前記山部と前記谷部とによって囲まれた空間通路を風の流通通路として上下方向に下側から上側に向けて通風させる外部気体流通用ファンとを有しており、前記フィンは前記谷部に対して両側の山部を形成する板面が開角する態様で板面が斜めに形成されており、前記内部空間内の気体と前記外部空間内の気体の少なくとも一方が前記Ｘ方向と前記Ｙ方向とに直交するＺ方向から対応する前記空間通路に導入されて前記Ｙ方向である上下方向に流通するように、前記対応する前記空間通路への気体の導入部が形成されていることを特徴とする冷却装置。」
２　引用刊行物
　原査定の拒絶の理由で引用された引用例１ないし３及びその記載事項は、前記第２の［理由］２（２）に記載したとおりである。
３　対比・判断
　本願発明は、前記第２の［理由］２で検討した本件補正発明から、コルゲート状のフィンの「隔壁の態様」について、「前記開口全体を閉鎖して前記開口部分の側壁を兼ねる」との限定事項を削除したものである。
　そうすると、本願発明の発明特定事項を全て含み、さらに他の事項を付加したものに相当する本件補正発明が、前記第２の［理由］２（３），（４）に記載したとおり、引用発明及び周知技術に基づいて、当業者が容易に発明をすることができたものであるから、本願発明も、同様の理由により、引用発明及び周知技術に基づいて、当業者が容易に発明をすることができたものである。
４　むすび
　以上のとおり、本願発明は、特許法第２９条第２項の規定により特許を受けることができないから、他の請求項に係る発明について検討するまでもなく、本願は拒絶されるべきものである。
　よって、結論のとおり審決する。